(57)【要約】      （修正有）【課題】コリメートレンズホルダを精度良く移動させられる光ピックアップ装置を提供する。【解決手段】レーザ光を平行光に変換するコリメートレンズと、コリメートレンズを保持するレンズホルダ７と、前記レンズホルダを光軸方向に移動可能に支持するシャフト７５と、前記レンズホルダを光軸方向に移動させる移動機構８と、これらが載置されるハウジング６とを備え、駆動モータによって回転されるリードスクリュ８６を軸支するとともに位置決めするための一対の突片８３２、８４２を有するフレームとを有し、前記ハウジングは、前記一対の突片が嵌入される一対の嵌入孔と、前記一対の嵌入孔に対して前記一対の突片が嵌入されたときに前記フレームの一部が当接する、前記一対の嵌入孔夫の両側に設けられる一対の当接面とを有し、前記フレームの一部と前記一対の当接面とは、前記リードスクリュと前記シャフトとが平行となるように互いに当接する形状を呈する。【選択図】図５
2014041675.tif 000002
【特許請求の範囲】
【請求項１】
光ディスクの信号記録面に対して信号の記録又は再生動作が行われるように、レーザダイオードから出射されたレーザ光を平行光に変換するコリメートレンズと、
前記コリメートレンズを保持するレンズホルダと、
前記レンズホルダを前記コリメートレンズの光軸方向に移動可能に支持するシャフトと、
前記レンズホルダを前記光軸方向に移動させる移動機構と、
前記レンズホルダと、前記シャフトと、前記移動機構とが載置されるハウジングと、を備え、
前記移動機構は、
駆動モータによって回転されるリードスクリュと、
前記リードスクリュの回転力に基づく前記光軸方向の力を前記レンズホルダに伝達する伝達部材と、
前記リードスクリュを軸支するとともに、前記リードスクリュを位置決めするための一対の突片を有するフレームと、を有し、
前記ハウジングは、
前記一対の突片が嵌入される一対の嵌入孔と、
前記一対の嵌入孔に対して前記一対の突片が嵌入されたときに前記フレームの一部が当接する、前記一対の嵌入孔夫々における両側に設けられる一対の当接面と、を有し、
前記フレームの一部と前記一対の当接面とは、前記リードスクリュと前記シャフトとが平行となるように、互いに当接する形状を呈すること
を特徴とする光ピックアップ装置。
【請求項２】
前記一対の突片は、前記リードスクリュに沿った第１方向に並ぶように設けられ、
前記一対の嵌入孔のうちの一方の嵌入孔における前記第１方向の幅は、前記第１方向における前記一対の突片の間の距離のばらつきを考慮した幅とされること
を特徴とした請求項１に記載の光ピックアップ装置。
【請求項３】
前記一対の当接面は、前記第１方向と交差する第２方向において前記一対の嵌入孔夫々の両側に設けられること
を特徴とした請求項２に記載の光ピックアップ装置。
【請求項４】
前記一対の当接面は、前記光ディスクのフォーカス方向における高さが同一の平面上に設けられること
を特徴とした請求項３に記載の光ピックアップ装置。
【請求項５】
前記フレームは、前記ハウジングに対して接着剤で固定されること
を特徴とした請求項１乃至４の何れかに記載の光ピックアップ装置。
【発明の詳細な説明】
【技術分野】
【０００１】
本発明は、光ピックアップ装置に関する。
【背景技術】
【０００２】
例えば、コリメートレンズと、当該コリメートレンズを保持するレンズホルダと、当該レンズホルダをコリメートレンズの光軸方向に移動させる移動装置とを含んで構成される光ピックアップ装置が知られている（特許文献１）。
【先行技術文献】
【特許文献】
【０００３】
【特許文献１】特開２００７−２５７８０５号公報
【発明の概要】
【発明が解決しようとする課題】
【０００４】
一般に、特許文献１の移動装置は、駆動モータによって回転されるリードスクリュと、当該リードスクリュの回転力に基づいて、コリメートレンズホルダに対してコリメートレンズの光軸方向の力を伝達するナットと、リードスクリュを軸支するフレームとを有している。そして、光ピックアップ装置におけるハウジングに対する移動装置の位置決めは、当該ハウジングの壁体に対するフレームの固定により行われる。しかし、例えば、当該フレームの形状にはばらつきがあるために、コリメートレンズホルダを移動可能に支持するシャフトと、リードスクリュとが平行となるように、移動装置の位置決めを行うのが困難となることがある。このために、コリメートレンズホルダを移動させる際にリードスクリュとナットとのかみ込みが生じ、当該かみ込みにより、コリメートレンズホルダの移動精度が低下する虞がある。
【課題を解決するための手段】
【０００５】
前述した課題を解決する主たる本発明は、光ディスクの信号記録面に対して信号の記録又は再生動作が行われるように、レーザダイオードから出射されたレーザ光を平行光に変換するコリメートレンズと、前記コリメートレンズを保持するレンズホルダと、前記レンズホルダを前記コリメートレンズの光軸方向に移動可能に支持するシャフトと、前記レンズホルダを前記光軸方向に移動させる移動機構と、前記レンズホルダと、前記シャフトと、前記移動機構とが載置されるハウジングと、を備え、前記移動機構は、駆動モータによって回転されるリードスクリュと、前記リードスクリュの回転力に基づく前記光軸方向の力を前記レンズホルダに伝達する伝達部材と、前記リードスクリュを軸支するとともに、前記リードスクリュを位置決めするための一対の突片を有するフレームと、を有し、前記ハウジングは、前記一対の突片が嵌入される一対の嵌入孔と、前記一対の嵌入孔に対して前記一対の突片が嵌入されたときに前記フレームの一部が当接する、前記一対の嵌入孔夫々における両側に設けられる一対の当接面と、を有し、前記フレームの一部と前記一対の当接面とは、前記リードスクリュと前記シャフトとが平行となるように、互いに当接する形状を呈することを特徴とする光ピックアップ装置である。
【０００６】
本発明の他の特徴については、添付図面及び本明細書の記載により明らかとなる。
【発明の効果】
【０００７】
本発明によれば、コリメートレンズホルダを精度良く移動させられる光ピックアップ装置を提供できる。
【図面の簡単な説明】
【０００８】
【図１】本発明の実施形態に係る光ピックアップ装置の光学系の構成を示す図である。
【図２】本発明の実施形態に係る光ピックアップ装置の光学系の一部の構成を示す図である。
【図３】本発明の実施形態における、光ディスク側から見た状態の光ピックアップ装置を示す斜視図である。
【図４】本発明の実施形態における、光ディスク側とは反対側から見た状態の光ピックアップ装置を示す斜視図である。
【図５】本発明の実施形態における移動装置とコリメートレンズホルダとハウジングとを示す分解斜視図である。
【図６】本発明の実施形態におけるコリメートレンズホルダを示す斜視図である。
【図７】本発明の実施形態におけるコリメートレンズホルダの一部を示す平面図である。
【図８】本発明の実施形態における移動装置を示す斜視図である。
【図９】本発明の実施形態における移動装置を示す平面図である。
【図１０】本発明の実施形態におけるハウジングを示す斜視図である。
【図１１】本発明の実施形態におけるハウジングを示す平面図である。
【図１２】本発明の実施形態における、コリメートレンズホルダが取り付けられた状態のハウジングと移動装置を示す分解斜視図である。
【発明を実施するための形態】
【０００９】
本明細書および添付図面の記載により、少なくとも以下の事項が明らかとなる。
【００１０】
＝＝＝光ピックアップ装置の光学系＝＝＝
図１は、本実施形態に係る光ピックアップ装置の光学系の構成を示す図である。図２は、本実施形態に係る光ピックアップ装置の光学系の一部の構成を示す図である。
【００１１】
光ピックアップ装置１００は、回転する光ディスク５（図３）にレーザ光を照射し、光ディスク５で反射されるレーザ光の反射光を検出する装置である。光ピックアップ装置１００によって情報の記録又は再生が行われる光ディスク５は、例えばＢＤ（Ｂｌｕ―ｒａｙ  Ｄｉｓｃ）規格の光ディスク（以下、「第１光ディスク５Ａ」と称する）、ＤＶＤ（Ｄｉｇｉｔａｌ  Ｖｅｒｓａｔｉｌｅ  Ｄｉｓｃ）規格の光ディスク（以下、「第２光ディスク５Ｂ」と称する）、ＣＤ（Ｃｏｍｐａｃｔ  Ｄｉｓｃ）規格の光ディスク（以下、「第３光ディスク５Ｃ」と称する）等である。光ピックアップ装置１００は、第２光ディスク５Ｂ、第３光ディスク５Ｃに照射される第１レーザ光の光路に沿った第１光学系と、第１光ディスク５Ａに照射される第２レーザ光の光路に沿った第２光学系を有する。
【００１２】
＝＝＝第１光学系＝＝＝
以下、図１、図２を参照して、本実施形態における光ピックアップ装置の第１光学系について説明する。
【００１３】
第１光学系は、ＤＶＤ規格及びＣＤ規格用の光学系であり、第１レーザ光源１１（レーザダイオード）、回折格子１２、第１ビームスプリッタ４１（キューブ型ビームスプリッタ）、第２ビームスプリッタ４２（プレート型ビームスプリッタ）、フロントモニタダイオード４３、１／４波長板４４、コリメートレンズ４５、第１立ち上げミラー４６、第１対物レンズ４６１（図２）、ホログラム光学素子３３、アナモフィックレンズ３２、光検出器３１（以下、「第１光学系の光学素子等」とも称する）から構成される。
【００１４】
第１レーザ光源１１は、第２光ディスク５Ｂに照射する赤色波長帯（６４５ｎｍ〜６７５ｎｍ）のうち例えば６５５ｎｍの波長と、第３光ディスク５Ｃに照射する赤外波長帯（７６５ｎｍ〜８０５ｎｍ）のうち例えば７８５ｎｍの波長の、異なる２波長の第１レーザ光を選択的に出射する。第１レーザ光源１１は、例えば６５５ｎｍの波長の第１レーザ光を出射する第１レーザダイオード１１１と、例えば７８５ｎｍの波長の第１レーザ光を出射する第１レーザダイオード１１２とを有する。
【００１５】
回折格子１２は、第１レーザ光源１１が出射した第１レーザ光から、０次光、＋１次回折光、−１次回折光を生成する。
【００１６】
第１ビームスプリッタ４１は、例えば、赤色波長帯及び赤外波長帯のＰ偏光のレーザ光を透過し、赤色波長帯及び赤外波長帯のＰ偏光以外のレーザ光を反射する。第１ビームスプリッタ４１は、回折格子１２から入射する赤色波長帯又は赤外波長帯のＰ偏光の第１レーザ光を透過する。尚、第１レーザダイオード１１１、１１２は、第１レーザ光として例えば第１ビームスプリッタ４１のコーティング膜に対してＰ偏光のレーザ光を出射するものとする。
【００１７】
第２ビームスプリッタ４２は、例えば、Ｐ偏光のレーザ光を反射し、Ｓ偏光のレーザ光を透過する。第２ビームスプリッタ４２は、第１ビームスプリッタ４１から入射するＰ偏光の第１レーザ光を１／４波長板４４の方向へ反射する。このとき、第２ビームスプリッタ４２は、第１レーザ光の強度を調整するために、第１レーザ光の一部をフロントモニタダイオード４３の方向に透過するものとする。尚、フロントモニタダイオード４３は、第２ビームスプリッタ４２から入射された第１レーザ光の一部に基づいて、第１レーザ光の強度を調整するための光学部品である。又、１／４波長板４４から入射する第１レーザ光の反射光は、例えば、第２光ディスク５Ｂ又は第３光ディスク５Ｃで反射してＳ偏光のレーザ光となっている。よって、第２ビームスプリッタ４２は、第１レーザ光の反射光をホログラム光学素子３３の方向へ透過する。つまり、第２ビームスプリッタ４２は、第１レーザダイオード１１１、１１２、第２レーザダイオード２１１と、光検出器３１とをそれぞれ別光路に分離する機能を有することとなる。
【００１８】
１／４波長板４４は、第２ビームスプリッタ４２から入射する第１レーザ光を、直線偏光光から円偏光光に変換する。又、１／４波長板４４は、コリメートレンズ４５から入射する第１レーザ光の反射光を、円偏光光から直線偏光光に変換する。
【００１９】
コリメートレンズ４５は、１／４波長板４４から入射する第１レーザ光を平行光に変換する。つまり、コリメートレンズ４５は、光ディスク５の信号記録面に対して信号の記録又は再生動作が行われるように、第１レーザ光又は第２レーザ光を平行光に変換する。
【００２０】
第１立ち上げミラー４６は、コリメートレンズ４５から入射する第１レーザ光を、第２光ディスク５Ｂ又は第３光ディスク５Ｃの信号記録面に垂直な方向に反射する。又、第１立ち上げミラー４６は、第１対物レンズ４６１から入射する第１レーザ光の反射光を、コリメートレンズ４５の方向に反射する。尚、第１立ち上げミラー４６は、例えば、赤色波長帯及び赤外波長帯のレーザ光を反射し、赤色波長帯及び赤外波長帯以外のレーザ光を透過する波長選択性を有しているものとする。
【００２１】
第１対物レンズ４６１は、第１立ち上げミラー４６から入射した第１レーザ光を、第２光ディスク５Ｂ又は第３光ディスク５Ｃの信号記録面における信号記録層に集光する。
【００２２】
第２光ディスク５Ｂ又は第３光ディスク５Ｃの信号記録層で反射した第１レーザ光の反射光は、第１対物レンズ４６１によって平行光に変換された後、第１立ち上げミラー４６、コリメートレンズ４５を介して１／４波長板４４に入射し、１／４波長板４４によって円偏光光から直線偏光光に変換される。直線偏光光となった第１レーザ光の反射光は、第２ビームスプリッタ４２を介してホログラム光学素子３３に入射する。
【００２３】
ホログラム光学素子３３は、例えば、第２光ディスク５Ｂにおける第１レーザ光が集光された信号記録層以外の信号記録層からの反射光が光検出器３１に入射しないように、第１レーザ光の反射光の光路を調整する。
【００２４】
アナモフィックレンズ３２は、ホログラム光学素子３３から入射した第１レーザ光の反射光を、光検出器３１に集光させるとともに、第１レーザ光の反射光にフォーカスエラー信号を生成するのに用いられる非点収差を発生させる。尚、フォーカスエラー信号とは、例えば、対物レンズホルダ４６０（図３）を第１対物レンズ４６１の光軸方向（図３のＺ軸）に変位させる際に用いられる信号である。
【００２５】
光検出器３１は、アナモフィックレンズ３２から入射される第１レーザ光の反射光を光電変換する。つまり、光検出器３１は、第２光ディスク５Ｂ又は第３光ディスク５Ｃで反射された第１レーザ光の反射光が照射され、当該照射された第１レーザ光の反射光を光電変換する。
【００２６】
＝＝＝第２光学系＝＝＝
以下、図１、図２を参照して、本実施形態における光ピックアップ装置の第２光学系について説明する。
【００２７】
第２光学系は、ＢＤ規格用の光学系であり、第２レーザ光源２１（レーザダイオード）、１／２波長板２２、第１ビームスプリッタ４１、第２ビームスプリッタ４２、フロントモニタダイオード４３、１／４波長板４４、コリメートレンズ４５、第２立ち上げミラー４７、第２対物レンズ４６２、ホログラム光学素子３３、アナモフィックレンズ３２、光検出器３１（以下、「第２光学系の光学素子等」とも称する）から構成される。尚、例えば、第１ビームスプリッタ４１、第２ビームスプリッタ４２、フロントモニタダイオード４３、１／４波長板４４、コリメートレンズ４５、ホログラム光学素子３３、アナモフィックレンズ３２、光検出器３１は、第１光学系と第２光学系で共通に用いられることになる。
【００２８】
第２レーザ光源２１は、第１レーザ光源１１が発生する第１レーザ光の波長とは異なる、第１光ディスク５Ａに照射する青色波長帯（３９５ｎｍ〜４２０ｎｍ）のうち例えば４０５ｎｍの波長の第２レーザ光を、第１レーザ光とは相補的に発生する。第２レーザ光源２１は、例えば４０５ｎｍの波長の第２レーザ光を発生する第２レーザダイオード２１１を有する。
【００２９】
１／２波長板２２は、直線偏光光である第２レーザ光を例えばＰ偏光の直線偏光光に変換する。
【００３０】
第１ビームスプリッタ４１は、１／２波長板２２から入射する青色波長帯のＰ偏光の第１レーザ光を第２ビームスプリッタ４２の方向に反射する。
【００３１】
第２ビームスプリッタ４２は、第１ビームスプリッタ４１から入射するＰ偏光の第２レーザ光を１／４波長板４４の方向へ反射する。このとき、第２ビームスプリッタ４２は、第２レーザ光の強度を調整するために、第２レーザ光の一部をフロントモニタダイオード４３の方向に透過するものとする。又、１／４波長板４４から入射する第２レーザ光の反射光は、例えば、第１光ディスク５Ａで反射してＳ偏光のレーザ光となっている。よって、第２ビームスプリッタ４２は、第２レーザ光の反射光をホログラム光学素子３３の方向へ透過する。
【００３２】
１／４波長板４４は、第２ビームスプリッタ４２から入射する第２レーザ光を、直線偏光光から円偏光光に変換する。又、１／４波長板４４は、コリメートレンズ４５から入射する第２レーザ光の反射光を、円偏光光から直線偏光光に変換する。
【００３３】
コリメートレンズ４５は、１／４波長板４４から入射する第２レーザ光を平行光に変換する。コリメートレンズ４５で平行光に変換された第２レーザ光は、第１立ち上げミラー４６を透過して第２立ち上げミラー４７に照射される。
【００３４】
第２立ち上げミラー４７は、コリメートレンズ４５から入射する第２レーザ光を、第１光ディスク５Ａの信号記録面に垂直な方向に反射する。又、第２立ち上げミラー４７は、第２対物レンズ４６２から入射する第２レーザ光の反射光を、コリメートレンズ４５の方向に反射する。
【００３５】
第２対物レンズ４６２は、第２立ち上げミラー４７から入射した第２レーザ光を、第１光ディスク５Ａの信号記録面における信号記録層に集光する。
【００３６】
第２光ディスク５Ａの信号記録層で反射した第２レーザ光の反射光は、第２対物レンズ４６２によって平行光に変換された後、第２立ち上げミラー４７、第１立ち上げミラー４６、コリメートレンズ４５を介して１／４波長板４４に入射し、１／４波長板４４によって円偏光光から直線偏光光に変換される。直線偏光光となった第２レーザ光の反射光は、第２ビームスプリッタ４２を介してホログラム光学素子３３に入射する。
【００３７】
ホログラム光学素子３３は、例えば、第２光ディスク５Ａにおける第２レーザ光が集光された信号記録層以外の信号記録層からの反射光が光検出器３１に入射しないように、第２レーザ光の反射光の光路を調整する。
【００３８】
アナモフィックレンズ３２は、ホログラム光学素子３３から入射した第２レーザ光の反射光を、光検出器３１に集光させるとともに、第２レーザ光の反射光に非点収差を発生させてフォーカスエラー信号を生成する。
【００３９】
光検出器３１は、アナモフィックレンズ３２から入射される第２レーザ光の反射光を光電変換する。つまり、光検出器３１は、第１光ディスク５Ａで反射された第２レーザ光の反射光が照射され、当該照射された第２レーザ光の反射光を光電変換する。
【００４０】
＝＝＝光ピックアップ装置＝＝＝
以下、図３、図４を参照して、本実施形態における光ピックアップ装置について説明する。図３は、本実施形態における、光ディスク側から見た状態の光ピックアップ装置を示す斜視図である。図４は、本実施形態における、光ディスク側とは反対側から見た状態の光ピックアップ装置を示す斜視図である。尚、図３及び図４において、光ディスク５を回転させるためのスピンドルモータ（不図示）の回転軸５０は、説明の便宜上、一点鎖線で示されている。又、図３及び図４において、光ディスク５は、説明の便宜上、一部が省略された状態で一点鎖線で示されている。
【００４１】
光ピックアップ装置１００は、ハウジング６、アクチュエータ４６３、対物レンズホルダ４６０、第１光学系の光学素子等、第２光学系の光学素子等、コリメートレンズホルダ７（図４）（レンズホルダ）、移動装置８（移動機構）を有する。尚、本実施形態において、Ｚ軸は、光ディスク５を回転させるスピンドルモータの回転軸５０の長手方向（フォーカス方向、垂直方向）に沿う軸であり、光ピックアップ装置１００から光ディスク５（上側）へ向かう方向を＋Ｚ方向とし、光ディスク５から光ピックアップ装置１００（下側）へ向かう方向を−Ｚ方向とする。尚、第１光ディスク５Ａ、第２光ディスク５Ｂ、第３光ディスク５Ｃのうち、スピンドルモータによって回転される光ディスクを、説明の便宜上、光ディスク５と称する。Ｙ軸は、光ディスク５の径方向（トラッキング方向、ラジアル方向）に光ピックアップ装置１００が移動する方向に沿う軸であり、光ピックアップ装置１００が回転軸５０から離れる方向を＋Ｙ方向とし、光ピックアップ装置１００が回転軸５０に近づく方向を−Ｙ方向とする。Ｘ軸は、光ディスク５のタンジェンシャル方向に沿う軸であり、ハウジング６の一方の側面６１から他方の側面６２に向かう方向を＋Ｘ方向とし、ハウジング６の他方の側面６２から一方の側面６１に向かう方向を−Ｘ方向とする。
【００４２】
対物レンズホルダ４６０は、第１対物レンズ４６１及び第２対物レンズ４６２を保持する。対物レンズホルダ４６０は、第１対物レンズ４６１及び第２対物レンズ４６２が光ディスク５のタンジェンシャル方向に沿って隣り合った状態で光ディスク５と対向するように保持する。
【００４３】
アクチュエータ４６３は、対物レンズホルダ４６０をフォーカス方向及びトラッキング方向に変位させる装置である。
【００４４】
コリメートレンズホルダ７（図４）は、コリメートレンズ４５を保持する。尚、コリメートレンズホルダ７については後述する。
【００４５】
移動装置８は、コリメートレンズホルダ７をコリメートレンズ４５の光軸（Ｘ軸）に沿って移動させる装置である。尚、移動装置８については後述する。
【００４６】
ハウジング６には、アクチュエータ４６３、対物レンズホルダ４６０、第１光学系の光学素子等、第２光学系の光学素子等、コリメートレンズホルダ７（図４）、移動装置８、シャフト７５等が載置される。尚、ハウジング６については後述する。
【００４７】
＝＝＝ハウジング＝＝＝
以下、図３、図４を参照して、本実施形態におけるハウジングについて説明する。  
ハウジング６は、アクチュエータ４６３、対物レンズホルダ４６０、第１光学系の光学素子等、第２光学系の光学素子等、コリメートレンズホルダ７、移動装置８、シャフト７５等が載置される例えば樹脂製のハウジングである。
【００４８】
ハウジング６は、タンジェンシャル方向（Ｘ軸方向）に延びた形状を呈する。トラッキング方向における回転軸５０に近い側（−Ｙ）の端部６４は、例えば、スピンドルモータ（不図示）を回避するように所定の曲率をもって抉られた形状を呈する。トラッキング方向において回転軸５０から遠い側（＋Ｙ）の端部６３のタンジェンシャル方向の幅は、例えば、光ピックアップ装置１００の小型化のために、回転軸５０から離れるにつれて短くなっている。
【００４９】
ハウジング６における、光ディスク５側（＋Ｚ）とは反対側（−Ｚ）には、コリメートレンズホルダ７及び移動装置８を取り付けるための取付凹部６５（図５）が設けられている。尚、取付凹部６５については、後述する。
【００５０】
＝＝＝コリメートレンズホルダ、シャフト＝＝＝
以下、図５乃至図７を参照して、本実施形態におけるコリメートレンズホルダ及びシャフトについて説明する。図５は、本実施形態における移動装置とコリメートレンズホルダとハウジングとを示す分解斜視図である。尚、副シャフト７７は見えない状態となっているが、説明の便宜上、点線で示されている。図６は、本実施形態におけるコリメートレンズホルダを示す斜視図である。図７は、本実施形態におけるコリメートレンズホルダの一部を示す平面図である。尚、図７では、コリメートレンズホルダ７の一部が、説明の便宜上、省略されている。
【００５１】
コリメートレンズホルダ７は、コリメートレンズ４５を保持する例えば樹脂製のホルダである。コリメートレンズホルダ７は、例えば金型を用いてモールド成型により一体的に形成されるものとする。コリメートレンズホルダ７は、レンズ保持部材７１、連結部材７３、支持部材７２、ナット保持部材７４を有する。
【００５２】
レンズ保持部材７１は、コリメートレンズ４５を保持するための例えば略矩形の薄板形状を呈する部材である。レンズ保持部材７１は、コリメートレンズ４５の光軸が第１立ち上げミラー４６（図１）及び第２立ち上げミラー４７に向かうようにコリメートレンズ４５が取り付けられる取付孔７１Ａを有する。
【００５３】
ここで、第１立ち上げミラー４６及び第２立ち上げミラー４７は夫々、第１対物レンズ４６１及び第２対物レンズ４６２の垂直方向（Ｚ軸）における下側（−Ｚ）側で、タンジェンシャル方向（Ｘ軸）において互いに隣り合うように設けられている。つまり、コリメートレンズ４５は、コリメートレンズ４５の光軸がタンジェンシャル方向に沿うようにレンズ保持部材７１に取り付けられることとなる。尚、コリメートレンズ４５の光軸とは、例えば、コリメートレンズ４５における第１又は第２レーザ光が透過する２面の曲率中心を結ぶ直線のことを示す。又、コリメートレンズ４５の光軸は、例えば、コリメートレンズ４５の中心を透過する第１又は第２レーザ光に沿っている直線のことを示すこととしてもよい。つまり、コリメートレンズ４５の光軸は、Ｘ軸に対して平行となっている。
【００５４】
更に、レンズ保持部材７１は、副シャフト７７を支持する軸受７１１を有する。尚、副シャフト７７（図４）は、コリメートレンズホルダ７を、コリメートレンズ４５の光軸に沿って移動可能に支持する棒部材である。副シャフト７７は、シャフト７５とともにコリメートレンズホルダ７を支持する。副シャフト７７は、シャフト７５に対して平行となるように設けられているものとする。尚、シャフト７５については後述する。
【００５５】
支持部材７２は、レンズ保持部材７１をタンジェンシャル方向（コリメートレンズ４５の光軸方向）に沿って移動可能に支持するための部材である。支持部材７２は、例えば、タンジェンシャル方向において延びた形状を呈する。支持部材７２は、シャフト７５が挿通される挿通孔７２Ａを有する。
【００５６】
連結部材７３は、レンズ保持部材７１が支持部材７２によって支持されるように、レンズ保持部材７１と支持部材７２とを連結するための部材である。連結部材７３は、レンズ保持部材７１に保持されているコリメートレンズ４５の光軸と支持部材７２に挿通されているシャフト７５とが平行となるように、レンズ保持部材７１と支持部材７２との間に設けられている。
【００５７】
ナット保持部材７４は、移動装置８（図７）のナット８７（伝達部材）を保持する部材である。ナット保持部材７４は、支持部材７２における連結部材７３及びレンズ保持部材７１が延在している側（−Ｙ）とは反対側（＋Ｙ）に設けられる。ナット保持部材７４は、側板７４１、７４２、底板７４３、７４５（図７）を有する。
【００５８】
側板７４１、７４２は、タンジェンシャル方向において互いに対向するように、支持部材７２から延びている。側板７４１、７４２は、ハウジング６（図５）に対してコリメートレンズホルダ７及び移動装置８が載置されたときに、リードスクリュ８６と接触しないような形状を呈する。側板７４１、７４２は、リードスクリュ８６の外形を避けるように略Ｕ字に抉られた形状を呈する。
【００５９】
底板７４３、７４５は、側板７４１と側板７４２との間に設けられとともに、ナット保持部材７４の底を形成している。底板７４３、７４５は、側板７４１と側板７４２との間に、ナット８７を挿入するための隙間７４６が形成されるような形状を呈する。底板７４３、７４５は、底板７４３と底板７４５との間にナット８７（図８）の突片８７Ａが挿入される挿入孔７４４が形成されるように設けられる。
【００６０】
シャフト７５は、コリメートレンズホルダ７をコリメートレンズ４５の光軸方向（Ｘ軸）に移動可能に支持する棒部材である。シャフト７５は、コリメートレンズ４５の光軸に沿った状態で挿通孔７２Ａに挿通される。シャフト７５には、シャフト７５に挿通された支持部材７２に対してアクチュエータ４６３（図３）から離れる側（＋Ｘ）に向かう付勢力を与えるバネ７６が一方側（−Ｘ）に設けられる。シャフト７５における一方の端部（−Ｘ）及び他方の端部（＋Ｘ）は夫々、ハウジング６に設けられている軸受６９２（図４）、軸受６９１に対して例えば接着剤で固定される。
【００６１】
＝＝＝移動装置＝＝＝
以下、図８、図９を参照して、本実施形態における移動装置について説明する。図８は、本実施形態における移動装置を示す斜視図である。図９は、本実施形態における移動装置を示す平面図である。尚、モータ８１０、軸受８１１、リードスクリュ８６の一部は見えない状態となっているが、説明の便宜上、点線で示されている。
【００６２】
移動装置８は、コリメートレンズホルダ７をコリメートレンズ４５の光軸（Ｘ軸）に沿って移動させる装置である。移動装置８は、ケース８１、モータフレーム８２、リードスクリュ８６、モータ８１０（図９）（駆動モータ）、ナット８７を有する。尚、ケース８１及びモータフレーム８２がフレームに相当する。
【００６３】
＜ケース＞
ケース８１は、リードスクリュ８６の一部及びモータ８１０を収容する例えば金属製の略円柱形状を呈するケースである。ケース８１は、リードスクリュ８６の一部及びモータ８１０を収容できるように中空構造を呈する。ケース８１における第１折曲片８４が固定される面（＋Ｘ）には、リードスクリュ８６が挿通される挿通孔８１Ａが設けられる。ケース８１内には、リードスクリュ８６の一端を軸支する軸受８１１（図９）が設けられる。
【００６４】
＜モータフレーム＞
モータフレーム８２は、ハウジング６に対して移動装置８を位置決めするための例えば金属製のフレームである。モータフレーム８２は、例えば１枚の金属板を折り曲げ加工して一体的に形成される。モータフレーム８２は、第１折曲片８４、第２折曲片８５、第３折曲片８３を有する。
【００６５】
第１折曲片８４は、ケース８１に対してモータフレーム８２を固定するための片である。第１折曲片８４は、ケース８１の一方の面（＋Ｘ）に沿った形状を呈する。第１折曲片８４には、リードスクリュ８６が挿通されるように、ケース８１の挿通孔８１Ａと連通した挿通孔８４Ａが設けられる。第１折曲片８４は、ケース８１の一方の面に対して例えば接着剤で固定される。尚、例えば、ケース８１に対して第１折曲片８４が溶接されることとしてもよい。
【００６６】
更に、第１折曲片８４は、突片８４２を有する。突片８４２は、第３折曲片８３の突片８３２と対となってハウジング６（図５）に対するリードスクリュ８６の位置決めを行うための片である。突片８４２は、第１折曲片８４におけるハウジング６と対向する側の端部（＋Ｚ）から突出している。突片８４２は、ハウジング６の取付凹部６５（図１０）における嵌入孔６７に嵌入されるような形状を呈する。
【００６７】
更に、第１折曲片８４は、当接面８４３、８４４を有する。当接面８４３、８４４は、リードスクリュ８６と交差する方向（Ｙ軸）において、突片８４２の両側に形成される。当接面８４３、８４４は夫々、嵌入孔６７に対して突片８４２が嵌入されたときに、ハウジング６の取付凹部６５（図１０）における当接面６７２、６７１と当接する面である。当接面８４３、８４４は、例えば光ディスク５のフォーカス方向（Ｘ軸）における高さが同一のＸＹ平面上に形成される面である。つまり、突片８４２の先端から当接面８４３までの垂直方向（Ｚ軸）の距離と、突片８４２の先端から当接面８４４までの垂直方向の距離は同じ距離となる。そして、垂直方向における当接面８４３、８４４からリードスクリュ８６の略中心までの距離Ｆ２は、ハウジング６に対する移動装置８の位置決めが行われた際にリードスクリュ８６とシャフト７５とが平行となるように設定される。
【００６８】
第２折曲片８５は、第１折曲片８４における奥側（＋Ｙ）の端部からケース８１とは反対側（＋Ｘ）に向かって折り曲げられた形状を呈する。第２折曲片８５は、例えばリードスクリュ８６に対して平行となるようにリードスクリュ８６に沿って延びている。第２折曲片８５は、ケース８１に対して第３折曲片８３を支持するためのアームとしても機能する。
【００６９】
第３折曲片８３は、リードスクリュ８６の他端を軸支するための部材である。第３折曲片８３は、第２折曲片８５におけるケース８１から遠い側の端部（＋Ｘ）から手前側（−Ｙ）に向かって折り曲げられた形状を呈する。第３折曲片８３の略中央には、リードスクリュ８６の他端を軸支する軸受８３１が設けられている。
【００７０】
更に、第３折曲片８３は、突片８３２を有する。突片８３２は、第１折曲片８４の突片８４２と対となってハウジング６に対するリードスクリュ８６の位置決めを行うための片である。突片８３２は、第３折曲片８３におけるハウジング６と対向する側の端部から突出している。突片８３２は、ハウジング６の取付凹部６５における嵌入孔６６（図１０）に嵌入されるような形状を呈する。つまり、突片８３２及び突片８４２は、リードスクリュ８６に沿った方向（Ｘ軸、第１方向）に並ぶように設けられている。尚、突片８３２及び突片８４２が、リードスクリュ８６を位置決めするための一対の突片に相当する。
【００７１】
更に、第３折曲片８３は、当接面８３３、８３４を有する。当接面８３３、８３４は、リードスクリュ８６と交差する方向（Ｙ軸）において、突片８３２の両側に形成される。当接面８３３、８３４は夫々、嵌入孔６６に対して突片８３２が嵌入されたときに、ハウジング６の取付凹部６５における当接面６６２、６６１と当接する面である。当接面８３３、８３４は、例えば光ディスク５のフォーカス方向における高さが同一のＸＹ平面上に形成される面である。つまり、突片８３２の先端から当接面８３３までの垂直方向（Ｚ軸）の距離と、突片８３２の先端から当接面８３４までの垂直方向の距離は同じ距離となる。そして、垂直方向における当接面８３３、８３４からリードスクリュ８６の略中心までの距離Ｆ１は、ハウジング６に対する移動装置８の位置決めが行われた際にリードスクリュ８６とシャフト７５とが平行となるように設定される。尚、当接面８３３、８３４、８４３、８４４がフレームの一部に相当する。
【００７２】
＜リードスクリュ＞
リードスクリュ８６は、ナット８７に対して回転力を与えるための長尺形状を呈する金属製の棒部材である。リードスクリュ８６の外周には、螺旋状の螺子溝８６１が形成されている。リードスクリュ８６は、Ａ１方向またはＡ２方向に回転するように、リードスクリュ８６一端及び他端が夫々、軸受８１１及び軸受８３１に軸支される。
【００７３】
＜ナット＞
ナット８７は、リードスクリュ８６の回転力をリードスクリュ８６に沿った方向（Ｘ軸）の力に変換して、当該変換された力をコリメートレンズホルダ７に伝達する例えば樹脂製の部材である。ナット８７は、貫通孔８７Ｂ、突片８７Ａ、当接面８７１、８７２（図９）を有する。
【００７４】
貫通孔８７Ｂは、リードスクリュ８６に対してナット８７を螺合するためのナット８７の略中央に設けられた孔である。貫通孔８７Ｂ内には、リードスクリュ８６の螺子溝８６１に対応した螺子山（不図示）が形成されている。尚、例えば、螺子溝８６１と貫通孔８７Ｂ内の螺子山は、リードスクリュ８６がＡ１方向に回転したときにナット８７がケース８１に近づく方向（−Ｘ）に移動し、リードスクリュ８６がＡ２方向に回転したときにナット８７がケース８１から離れる方向（＋Ｘ）に移動するように、形成されていることとする。
【００７５】
突片８７Ａは、ナット保持部材７４に対してナット８７を固定するためのナット８７の一部である。突片８７Ａは、ナット８７におけるハウジング６（図５）と対向する側の端部（＋Ｚ）から突出している。突片８７Ａは、ナット保持部材７４の挿入孔７４４に挿入されるような形状を呈する。
【００７６】
当接面８７１、８７２（図９）は、突片８７Ａの両側に形成されている。当接面８７１、８７２は夫々、ナット８７がナット保持部材７４の隙間７４６に挿入され、且つ、突片８７Ａが挿入孔７４４に挿入されたときに、底板７４５、７４３に当接する。従って、リードスクリュ８６のＡ１方向又はＡ２方向の回転力がナット８７に伝達された際に、ナット８７がリードスクリュ８６を中心に回転しないように、ナット８７がナット保持部材７４に対して固定されることとなる。
【００７７】
＜モータ＞
モータ８１０（図９）は、フレキシブルケーブル８９を介して供給されるパルス信号に基づいてリードスクリュ８６を回転させるための例えばステッピングモータである。モータ８１０は、リードスクリュ８６がＡ１方向に回転する回転力、又は、リードスクリュ８６がＡ２方向に回転する回転力を、リードスクリュ８６の一端に伝達するものとする。
【００７８】
＝＝＝取付凹部＝＝＝
以下、図１０、図１１を参照して、本実施形態における取付凹部について説明する。図１０は、本実施形態におけるハウジングを示す斜視図である。図１１は、本実施形態におけるハウジングを示す平面図である。
【００７９】
取付凹部６５は、シャフト７５、コリメートレンズホルダ７及び移動装置８を取り付けるための、ハウジング６に設けられている窪みである。取付凹部６５内には、嵌入孔６６、６７、軸受６９１、６９２、当接面６６１、６６２、６７１、６７２が設けられる。尚、嵌入孔６６及び嵌入孔６７が一対の嵌入孔に相当する。
【００８０】
嵌入孔６６、６７は夫々、移動装置８の突片８３２、８４２が嵌入される一対の孔である。嵌入孔６６、６７は夫々、ハウジング６における移動装置８と対向する対向板６５１における、突片８３２、８４２と対向する位置に設けられる。嵌入孔６６、６７は、移動装置８のリードスクリュ８６が延びる方向（Ｘ軸）に沿って設けられる。
【００８１】
リードスクリュ８６が延びる方向に対して交差する方向（Ｙ軸）における嵌入孔６６の幅Ｄ３、嵌入孔６７の幅Ｄ４は夫々、突片８３３、８４３が夫々嵌入孔６６、６７に嵌入されるように、リードスクリュ８６が延びる方向に対して交差する方向における突片８３３の幅Ｄ１、突片８４３の幅Ｄ２よりも長く設定されている。嵌入孔６６の幅Ｄ３、嵌入孔６７の幅Ｄ４は、突片８３３、８４３が夫々嵌入孔６６、６７に嵌るような長さに設定されている。
【００８２】
リードスクリュ８６が延びる方向における嵌入孔６６の幅Ｅ３、嵌入孔６７の幅Ｅ４は夫々、突片８３３、８４３が夫々嵌入孔６６、６７に嵌入されるように、リードスクリュ８６が延びる方向における突片８３３の幅Ｅ１、突片８４３の幅Ｅ２よりも長く設定されている。嵌入孔６７の幅Ｅ４は、突片８４３が６７に嵌るような長さに設定されている。従って、嵌入孔６７に嵌入された突片８４３は、Ｘ軸方向およびＹ軸方向においてハウジング６に対して位置決めされて固定されることとなる。
【００８３】
一方、嵌入孔６６の幅Ｅ３は、突片８３２が嵌入孔６６に嵌入されたときにリードスクリュ８６が延びる方向において隙間ができるような長さに設定されている。当該隙間は、例えば、リードスクリュ８６が延びる方向（第１方向）におけるモータフレーム８２の長さのばらつきによる、突片８３３、８４３の間の距離のばらつきを吸収するための遊びである。つまり、嵌入孔６６の幅Ｅ３は、第１方向における突片８３２及び突片８４２の間の距離のばらつきを考慮した幅とされている。尚、モータフレーム８２の長さのばらつきは、例えば、モータフレーム８２の設計マージン等に基づくものである。従って、突片８３２は、嵌入孔６６に確実に嵌入されるとともに、Ｙ軸方向においてハウジング６に対して位置決めされて固定されることとなる。
【００８４】
当接面６６１、６６２は、移動装置８と対向する対向板６５１の一部に設けられている面である。当接面６６１、６６２は夫々、第３折曲片８３の対向面８３４、８３３と対向する位置に設けられている。つまり、当接面６６１、６６２は、リードスクリュ８６と交差する方向（Ｙ軸、第２方向）において嵌入孔６６の両側に設けられている。尚、第２方向は、前述の第１方向と交差する方向のことである。当接面６６１、６６２は、ハウジング６に対する移動装置８の位置決めが確実に行われるように、例えば光ディスク５のフォーカス方向における高さが同一のＸＹ平面上に設けられる。そして、当接面６６１、６６２は夫々、光ディスク５のフォーカス方向における高さが同一のＸＹ平面上で当接面８３４、８３３に沿うような形状を呈する。つまり、当接面６６１、６６２は、垂直方向における高さ位置が相互に同様となっている。従って、当接面６６１、６６２は夫々、リードスクリュ８６とシャフト７５とが平行となるように、当接面８３４、８３３と当接するような形状を呈することとなる。
【００８５】
当接面６７１、６７２は、移動装置８と対向する対向板６５１の一部に設けられている面である。当接面６７１、６７２は夫々、第１折曲片８４の対向面８４４、８４３と対向する位置に設けられている。つまり、当接面６７１、６７２は、リードスクリュ８６と交差する方向（第２方向）において嵌入孔６７の両側に設けられている。当接面６７１、６７２は、ハウジング６に対する移動装置８の位置決めが確実に行われるように、例えば光ディスク５のフォーカス方向における高さが同一のＸＹ平面上に設けられる。そして、当接面６７１、６７２は夫々、光ディスク５のフォーカス方向における高さが同一のＸＹ平面上で当接面８４４、８４３に沿うような形状を呈する。つまり、当接面６７１、６７２は、垂直方向における高さ位置が相互に同様となっている。従って、当接面６７１、６７２は夫々、リードスクリュ８６とシャフト７５とが平行となるように、当接面８４４、８４３と当接するような形状を呈することとなる。尚、例えば、当接面６６１、６６２、６７１、６７２の全てが光ディスク５のフォーカス方向における高さが同一のＸＹ平面上に設けられることとしてもよい。
【００８６】
軸受６９１、６９２は、ハウジング６に対してシャフト７５を固定するための部材である。軸受６９２、６９１は夫々、シャフト７５における一方の端部（−Ｘ）及び他方の端部（＋Ｘ）が固定されるように、取付凹部６５内に設けられている。
【００８７】
＝＝＝コリメートレンズホルダ及び移動装置の取り付け＝＝＝
以下、図４、図５、図１０、図１２を参照して、本実施形態におけるハウジングに対するコリメートレンズホルダ及び移動装置の取り付けについて説明する。図１２は、本実施形態におけるコリメートレンズホルダが取り付けられた状態のハウジングと移動装置を示す分解斜視図である。
【００８８】
コリメートレンズ４５が、コリメートレンズホルダ７の取付孔７１Ａ（図５）に取り付けられる。シャフト７５が、支持部材７２に挿通される。バネ７６が、シャフト７５における一方の端部（−Ｘ）からシャフト７５に取り付けられる。軸受７１１が副シャフト７７に支持されるように、シャフト７５が軸受６９１、６９２に対して固定される。シャフト７５における一方の端部及び他方の端部（＋Ｘ）は夫々、軸受６９２、６９１に対して例えば接着剤等を用いて固定される。そして、コリメートレンズホルダ７が、ハウジング６に取り付けられることとなる。
【００８９】
その後、移動装置８がハウジング６に取り付けられる。移動装置８は、ナット８７がナット保持部材７４に保持されるように、ハウジング６に取り付けられる（図１２）。ナット８７（図５）がナット保持部材７４における隙間７４６内に挿入された状態で、移動装置８がハウジング６に位置決めされる。移動装置８の突片８３２、８４２が夫々嵌入孔６６、６７（図１０）に嵌入される。このとき、前述したように、移動装置８の当接面８３４、８３３、８４４、８４３が夫々、ハウジング６の当接面６６１、６６２、６７１、６７２に当接して、リードスクリュ８６がシャフト７５に対して平行となる。従って、コリメートレンズホルダ７が＋Ｘ側又は−Ｘ側に移動するときの、リードスクリュ８６とナット８７とのかみ込みの発生が抑制されることとなる。
【００９０】
尚、リードスクリュ８６とナット８７とのかみ込みとは、例えば、リードスクリュ８６とシャフト７５とが平行でないことに基づいて発生する、螺子溝８６１と貫通孔８７Ｂ内の螺子山とのかみ込みである。当該螺子溝８６１と貫通孔８７Ｂ内の螺子山とのかみ込みは、例えば、リードスクリュ８６とシャフト７５とが平行でないときに、コリメートレンズホルダ７が移動する際に発生する。リードスクリュ８６とナット８７とのかみ込みが発生した場合、リードスクリュ８６に対してナット８７が固定されるので、リードスクリュ８６に対してモータ８１０から回転力が供給されているにも関わらず、例えば、リードスクリュ８６が回転しないこととなる。このため、リードスクリュ８６とナット８７とのかみ込みが発生した場合、コリメートレンズホルダ７の移動精度が低下することとなる。従って、リードスクリュ８６とナット８７とのかみ込みが発生しないように、シャフト７５に対してリードスクリュ８６を平行にするのが望ましい。
【００９１】
その後、移動装置８は、ハウジング６に対して例えば接着剤等を用いて固定される。例えば、移動装置８における第２折曲片８５（図８）が、ハウジング６の側壁６８３（図１０）に接着される。更に、例えば、移動装置８におけるケース８１（図８）がハウジング６の側壁６８１、接着片６８２に接着される。
【００９２】
＝＝＝コリメートレンズホルダの移動＝＝＝
以下、図３、図８、図９を参照して、本実施形態におけるコリメートレンズホルダの移動について説明する。
【００９３】
モータ８１０（図９）に供給されるパルス信号に基づいて、コリメートレンズホルダ７をアクチュエータ４６３側（−Ｘ）に移動させる場合、コリメートレンズホルダ７をアクチュエータ４６３側とは反対側（＋Ｘ）に移動させる場合に分けて説明する。尚、コリメートレンズホルダ７は、バネ７６によって＋Ｘ方向に向かって付勢されているので、コリメートレンズホルダ７の側板７４２とナット８７とは常に当接した状態となっている。
【００９４】
＜コリメートレンズホルダ７をアクチュエータ４６３側に移動させる場合＞
モータ８１０（図９）からの駆動力によってリードスクリュ８６が、Ａ１方向（図８）に回転する。当該Ａ１方向への回転力に基づいて、ナット８７（図４）が、−Ｘ側に移動することとなる。当該ナット８７が−Ｘ側に移動する力に基づいて、コリメートレンズホルダ７は、−Ｘ側に移動することとなる。
【００９５】
＜コリメートレンズホルダ７をアクチュエータ４６３側とは反対側に移動させる場合＞
モータ８１０（図９）からの駆動力によってリードスクリュ８６が、Ａ２方向（図８）に回転する。当該Ａ２方向への回転力に基づいて、ナット８７（図４）が、＋Ｘ側に移動することとなる。当該ナット８７が＋Ｘ側に移動する力に基づいて、コリメートレンズホルダ７は、＋Ｘ側に移動することとなる。
【００９６】
前述したように、第１レーザ光源１１及び第２レーザ光源２１は夫々、第１レーザ光及び第２レーザ光を出射する。コリメートレンズ４５は、光ディスク５の信号記録面に対して信号の記録又は再生動作が行われるように、第１レーザ光及び第２レーザ光を平行光に変換する。コリメートレンズホルダ７は、コリメートレンズ４５を保持する。シャフト７５は、コリメートレンズホルダ７をコリメートレンズ４５の光軸方向に移動可能に支持する。移動装置８は、コリメートレンズホルダ７をコリメートレンズ４５の光軸方向に移動させる。ハウジング６には、コリメートレンズホルダ７と、シャフト７５と、移動装置８とが載置される。移動装置８は、リードスクリュ８６、ナット８７、ケース８１、モータフレーム８２を有する。リードスクリュ８６は、モータ８１０によって回転される。ナット８７は、リードスクリュ８６の回転力に基づくコリメートレンズ４５の光軸方向の力をコリメートレンズホルダ７に伝達する。ケース８１及びモータフレーム８２は、リードスクリュ８６を軸支する。更に、ケース８１及びモータフレーム８２は、リードスクリュを位置決めするための一対の突片８３２、８４２を有する。ハウジング６は、一対の嵌入孔６６、６７と、一対の当接面６６１、６６２、一対の当接面６７１、６７２を有する。一対の嵌入孔６６、６７には、一対の突片８３２、８４２が嵌入される。一対の当接面６６１、６６２は、嵌入孔６６の両側に設けられる。更に、一対の当接面６６１、６６２は、一対の嵌入孔６６、６７に対して一対の突片８３２、８４２が嵌入されたときに、モータフレーム８２の一部である当接面８３４、８３３に当接する。又、一対の当接面６７１、６７２は、嵌入孔６７の両側に設けられる。更に、一対の当接面６７１、６７２は、一対の嵌入孔６６、６７に対して一対の突片８３２、８４２が嵌入されたときに、モータフレーム８２の一部である当接面８４４、８４３に当接する。移動装置８の当接面８３４、８３３、８４４、８４３と、ハウジング６の当接面６６１、６６２、６７１、６７２とは、リードスクリュ８６とシャフト７５とが平行となるように、互いに当接する形状を呈する。これらの構成により、リードスクリュ８６がシャフト７５に対して平行となるように、移動装置８が確実に位置決めされる。よって、コリメートレンズホルダ７（図４）が＋Ｘ側又は−Ｘ側に移動するときの、リードスクリュ８６とナット８７とのかみ込みの発生が抑制されることとなる。つまり、当該かみ込みに基づく、リードスクリュ８６に対するナット８７の固定を抑制することができる。従って、コリメートレンズホルダ７を精度良く移動させられる光ピックアップ装置１００を提供できる。
【００９７】
又、一対の突片８３２、８４２は、リードスクリュ８６に沿った第１方向（Ｘ軸）に並ぶように設けられる。一対の嵌入孔６６、６７のうちの嵌入孔６６における第１方向の幅Ｅ３（図１１）は、第１方向における一対の突片８３２、８４２の間の距離のばらつきを考慮した幅とされる。これらの構成により、例えば、モータフレーム８２の設計マージン等に基づいて突片８３２、８４２の間の距離のばらついたときも、嵌入孔６６、６７に対して突片８３２、８４２が確実に嵌入されることとなる。よって、リードスクリュ８６がシャフト７５に対して平行となるように、移動装置８が確実に位置決めされる。従って、リードスクリュ８６とナット８７とのかみ込みを抑制して、コリメートレンズホルダ７の移動精度を向上させることができる。
【００９８】
又、一対の当接面６６１、６６２は、第１方向と交差する第２方向（Ｙ軸）において嵌入孔６６の両側に設けられる。一対の当接面６７１、６７２は、第１方向と交差する第２方向において嵌入孔６７の両側に設けられる。この構成により、第１の方向及び第２の方向の双方において、ハウジング６に対する移動装置８の位置決めを確実に行うことができる。従って、リードスクリュ８６とシャフト７５とを確実に平行にして、コリメートレンズホルダ７の移動精度を更に向上させることができる。
【００９９】
又、一対の当接面６６１、６６２は、光ディスク５のフォーカス方向（Ｚ軸）における高さが同一の平面（ＸＹ平面）上に設けられる。一対の当接面６７１、６７２は、光ディスク５のフォーカス方向における高さが同一の平面（ＸＹ平面）上に設けられる。この構成により、移動装置８の当接面８３４、８３３、８４４、８４３夫々と、ハウジング６の当接面６６１、６６２、６７１、６７２とを当接させて、リードスクリュ８６とシャフト７５とを確実に平行にすることができる。従って、コリメートレンズホルダ７の移動精度を更に向上させることができる。又、ハウジング６及び移動装置８の加工が比較的容易となり、光ピックアップ装置１００の製造コストを低減させることができる。
【０１００】
又、モータフレーム８２及びケース８１は、ハウジング６に対して接着剤で固定される。この構成により、例えば、コリメートレンズホルダ７が移動する際の振動に基づいて、移動装置８の位置ずれが発生するのを防止することができる。よって、比較的長期間に亘ってコリメートレンズホルダ７の移動精度が低下しない光ピックアップ装置１００を提供することができる。
【０１０１】
尚、本実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【０１０２】
５  光ディスク
６  ハウジング
７  コリメートレンズホルダ
８  移動装置
１１  第１レーザ光源
２１  第２レーザ光源
４５  コリメートレンズ
６５  取付凹部
６６、６７  嵌入孔
７５  シャフト
８１  ケース
８２  モータフレーム
８６  リードスクリュ
８７  ナット
８７Ａ、８３２、８４２  突片
１００  光ピックアップ装置
６６１、６６２、６７１、６７２、８３３、８３４、８４３、８４４  当接面
８１０  モータ
【図１】
2014041675.tif 000003
【図２】
2014041675.tif 000004
【図３】
2014041675.tif 000005
【図４】
2014041675.tif 000006
【図５】
2014041675.tif 000007
【図６】
2014041675.tif 000008
【図７】
2014041675.tif 000009
【図８】
2014041675.tif 000010
【図９】
2014041675.tif 000011
【図１０】
2014041675.tif 000012
【図１１】
2014041675.tif 000013
【図１２】
2014041675.tif 000014